(57)【要約】【課題】  色や長さを飼い主の自由な選択により任意に組み合わせて利用することの可能なペット用リードを提供するものである。【解決手段】  本考案は、一方の端部に手輪１１を具備し、他方の端部に接続具１２を具備する紐状部材からなる手元用リード１と、両端部にそれぞれ接続具２１、２２を具備し、その一端を手元用リード１の接続具１２に接続し、その他端をペットに装着される首輪３に設けられた接続具３１に接続して用いる連結用リード２と、から構成される。手元用リード１及び前記連結用リード２のそれぞれは、長さや色の異なる複数の種類を用意し、ペットの種類や色、成長度合い、飼い主の任意の選択により、手元用リード１並びに連結用リード２のそれぞれの長さや色の組み合わせを適宜選択変更して着脱自在に構成したものである。【選択図】  図１
0003112404.tif 000002
【実用新案登録請求の範囲】
【請求項１】
ペットの首輪に接続されるペット用リードにおいて、
一方の端部に手輪を具備し他方の端部に接続部を具備する紐状の部材からなる手元用リードと、一方の端部が前記手元用リードの接続部に接続され他方の端部が前記首輪に接続されることにより前記手元用リードと前記首輪を接続する連結用リードと、から構成されるものであって、前記手元用リード及び前記連結用リードは、それぞれ色あいと長さの異なる複数種類のものを着脱自在に取付け可能であることを特徴とするペット用リード。
【考案の詳細な説明】
【技術分野】
【０００１】
本考案は、犬等のペットの散歩時に飼い主の手首とペットの首輪を接続するペット用リードに関する。
【背景技術】
【０００２】
従来、市販されているペット用リードは、ペットに装着された首輪の一部に設けられた接続具と、飼い主等が手を挿入して把持するための手輪を備えるリードと、を接続して使用する構成が一般に知られている。例えば、従来の一般的なペット用リードの概略図を図２に示す。
【０００３】
図２に示す従来のペット用リード４０は、手輪４１を設けたリード４０の接続具４２が、ペット用首輪４３に設けられた接続具４４に直接接続されている。この場合、リード４０の長さや色は予め設定されているものとなるが、リード４０を購入する際には、その長さや色を選択指定して購入することが必要である。
【０００４】
例えば、下記特許文献１には、伸縮性ペット用リードが開示されている。この伸縮性ペット用リードは、一端に手輪を有し、他端にジョイント金具を有するロープよりなる手元リードと、両端にジョイント金具を有する伸縮紐よりなる中間連結体と、一端にジョイント金具を有し、他端に首輪接続具を有するロープよりなるペット側リードと、から構成され、各ジョイント金具同士を接続できるような構成となっている。
【０００５】
【特許文献１】特開２００３−１５８９４１号公開特許公報（図１）
【考案の開示】
【考案が解決しようとする課題】
【０００６】
しかしながら、従来のペット用リードの場合は、ペットの種類や成長に合わせてリードを用意しなければならないといった問題があった。
【０００７】
また、通常市販されているペット用リードは、その色使いが単調であり、デザイン性に富んでいるものが少ないといった問題があった。
【０００８】
昨今のペット事情を鑑みると、様々なペット用アイテムが市販されている。例えば、ペット用の衣服などもその一つであり、最近ではカラフルな衣服を身に着けたペットが飼い主と共に散歩している光景を目にする機会が増えてきている。  そのような中、衣服のみならず、ペット用リードに関しても、その色使いについてユーザからの各種要求が増しつつある。
【０００９】
また、上記特許文献１のリードの場合、伸縮紐を中間連結体として用いているため、ペットの突然の動きに対して反応することができず、思わぬ事故に遭遇するといった危険性があった。
【００１０】
本考案は、上記問題点に鑑みてなされたものであり、色や長さを飼い主の自由な選択により任意に組み合わせて利用することの可能なペット用リードを提供することを目的とする。
【課題を解決するための手段】
【００１１】
上記課題を解決した本考案のペット用リードは、一方の端部に手輪を具備し、他方の端部に接続具を具備する紐状部材からなる手元用リードと、両端部にそれぞれ接続具を具備し、その一端を前記手元用リードに接続し、その他端をペットに装着される首輪に設けられた接続具に接続して用いる連結用リードと、から構成され、前記手元用リード及び前記連結用リードのそれぞれは、長さや色の異なる複数の種類を用意し、ペットの種類や色、成長度合い、飼い主の希望により、前記手元用リード並びに前記連結用リードのそれぞれの長さや色の組み合わせを適宜選択変更して着脱自在に構成したものである。
【考案の効果】
【００１２】
本考案によれば、例えば、小型犬の場合には短めの連結用リードを接続し、大型犬の場合には長めの連結用リードを接続することができ、ペットの種類や色、成長度合いに合わせて任意にリードの長さを適宜選択変更することが容易に可能となる。
【００１３】
また、本考案によれば、連結用リード及び手元用リードの長さや色を任意に組み合わせて接続することができるので、使用時、使用場所、使用状況等に合わせて又は飼い主の気分や雰囲気に応じて任意に組み合わせて適宜容易に選択変更することが可能となる。
【考案を実施するための最良の形態】
【００１４】
以下、添付図面を参照しながら本考案の一実施例の形態について詳説する。
【実施例１】
【００１５】
図１は、本考案の実施例１の構成を示す斜視図である。
図１において、本考案のペット用リードは、手元用リード１と、連結用リード２と、から構成されている。なお、図示される首輪３は、予めペットが装着しているものであってもよい。
【００１６】
手元用リード１は、丈夫な紐状の部材により構成されるものであり、その一方の端部に飼い主が手を挿入してリード部を把持するための手輪１１が設けられ、その他方の端部には後述の連結用リード２と接続するためのフック状の接続具１２が設けられている。この手元用リード１は、予め複数の色又はデザインのものを用意しておく。
【００１７】
連結用リード２は、丈夫な紐状の部材により構成されるものであり、その一方の端部に手元用リード１と接続するための接続具２１が設けられ、その他方の端部には後述の首輪３の一部に設けられた接続具３１と連結するためのフック状の接続具２２が設けられている。この連結用リード２は、予め複数の色又はデザインのものを用意しておくと共に、その長さについても複数の種類のものを用意しておく。
【００１８】
首輪３は、その一部に連結用リード２と接続するための接続具３１が設けられており、具体的には図示していないが各種ペットの首のサイズに合わせて調節可能なサイズ調整機構を備えている。
【００１９】
上述したように、手元用リード１及び連結用リード２は、その長さや色の異なる複数の種類が予め用意され、それぞれの接続具間で連結することにより、１本のリードとして機能するものである。
【００２０】
なお、手元用リード１と連結用リード２を構成する丈夫な紐状の部材は、特にその素材を限定するものではなく、一般的にペット用リードとして用いられる素材（例えば革製）でよく、また、手元用リード１と連結用リード２とで異なる素材を用いることも可能である。
【００２１】
なお、各接続具１２、２２は、図１に示すようにフック式の構成とし、各接続具２１、３１をリング形状とすることにより簡易に取付け取り外しが可能となる。なお、これらの各接続具を硬質性のプラスチック素材や金属等により構成することが可能であるが、安全面を考慮すると金属製の接続具であることが好ましい。
【００２２】
以上の構成からなる本考案のペット用リードは、飼い主が複数種ある手元用リード１及び連結用リード２の中から、好みの色や長さを選択し、手元用リード１の接続具１２と連結用リード２の接続具２１の間で連結し、さらに連結用リード２の接続具２２と首輪３の接続具３１の間で連結することにより、１本のリードを形成することができる。
【００２３】
なお、手元用リード１及び連結用リード２は複数種類のものが用意可能であり、また、連結用リード２は、上述したように複数種類のものが用意可能であるので、飼い主は、ペットの大きさや散歩の場所等に応じて、その長さを任意に選択し、その色をペットの色又はペットに着衣させているペット用衣服の色やデザインに応じて適宜選択することができる。
【００２４】
また、このようなペット用リードは、犬のみならず、他のペット類についても利用可能である。
【図面の簡単な説明】
【００２５】
【図１】本考案の実施例１の構成を示す斜視図である。
【図２】従来のペット用リードの構成を示す斜視図である。
【符号の説明】
【００２６】
１  手元用リード
２  連結用リード
３  首輪
１１  手輪
１２、２１、２２、３１  接続具
【図１】
0003112404.tif 000003
【図２】
0003112404.tif 000004